(57)【要約】  セル再選択を実行する方法および装置を提供する。諸実施形態によれば、この方法は、各セルのセル再選択測定結果が第１の判断基準を満たす第１の候補再選択ターゲット・セル・セットを選択するステップと、第１の候補再選択ターゲット・セル・セット内の各セルのセル再選択優先順位レベルに従って、第１の候補再選択ターゲット・セル・セットから第２の候補再選択ターゲット・セル・セットを選択するステップと、第２の候補再選択ターゲット・セル・セット内の各セルの受信されたＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を検討し、第２の候補再選択ターゲット・セル・セットから、再選択ターゲット・セルとして働くセルを選択するステップとを含む。したがって、マルチメディア・ブロードキャスト・マルチキャスト・サービス（ＭＢＭＳ）サービスの受信の連続性を、できる限り改善することができる。
2014514838.tif 000002
【特許請求の範囲】
【請求項１】
各セルのセル再選択測定結果が第１の判断基準を満たす第１の候補再選択ターゲット・セル・セットを選択するステップと、
前記第１の候補再選択ターゲット・セル・セット内の各セルのセル再選択優先順位レベルに従って、前記第１の候補再選択ターゲット・セル・セットから第２の候補再選択ターゲット・セル・セットを選択するステップと、
前記第２の候補再選択ターゲット・セル・セット内の各セルの受信されたＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を検討し、前記第２の候補再選択ターゲット・セル・セットから、再選択ターゲット・セルとして働くセルを選択するステップと
を含む、セル再選択を実行する方法。
【請求項２】
前記第２の候補再選択ターゲット・セル・セットが、少なくとも１つのＭＢＳＦＮ領域に属する少なくとも１つのセルを有する場合に、最適測定結果のセルが、前記再選択ターゲット・セルとして働くために、前記少なくとも１つのＭＢＳＦＮ領域に属する前記少なくとも１つのセルから選択され、そうでない場合には、
最適測定結果のセルが、前記再選択ターゲット・セルとして働くために、前記第２の候補再選択ターゲット・セル・セットから選択される
請求項１に記載の方法。
【請求項３】
前記第２の候補再選択ターゲット・セル・セットが、再選択ソース・セルが属するＭＢＳＦＮ領域によって送信されるマルチメディア・ブロードキャスト・マルチキャスト・サービス（ＭＢＭＳ）サービスと同一であるＭＢＭＳサービスを送信する少なくとも１つのＭＢＳＦＮ領域に属する少なくとも１つのセルを有する場合に、最適測定結果のセルが、前記再選択ターゲット・セルとして働くために、前記少なくとも１つのセルから選択され、そうではなく、
前記第２の候補再選択ターゲット・セル・セットが、前記再選択ソース・セルが属する前記ＭＢＳＦＮ領域によって送信される前記ＭＢＭＳサービスとは異なるＭＢＭＳサービスを送信する少なくとも１つのＭＢＳＦＮ領域に属する少なくとも１つのセルを有する場合に、最適測定結果のセルが、前記再選択ターゲット・セルとして働くために、前記少なくとも１つのセルから選択され、そうでない場合には、
最適測定結果のセルが、前記再選択ターゲット・セルとして働くために、前記第２の候補再選択ターゲット・セル・セットから選択される
請求項１に記載の方法。
【請求項４】
各セルのセル再選択測定結果が第１の判断基準を満たす第１の候補再選択ターゲット・セル・セットを選択するステップと、
前記第１の候補再選択ターゲット・セル・セット内の各セルのセル再選択優先順位レベルに従って前記第１の候補再選択ターゲット・セル・セットから第２の候補再選択ターゲット・セル・セットを選択するステップと、
前記第２の候補再選択ターゲット・セル・セット内の各セルのソーティング値を計算するステップと、
前記第２の候補再選択ターゲット・セル・セットが、それぞれがしきい値より大きい前記ソーティング値を有する少なくとも２つのセルを有する時に、前記少なくとも２つのセルの受信されたＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を検討し、前記少なくとも２つのセルから、再選択ターゲット・セルとして働くセルを選択するステップと
を含む、セル再選択を実行する方法。
【請求項５】
前記少なくとも２つのセル内の少なくとも１つのセルが、再選択ソース・セルが属するＭＢＳＦＮ領域と同一であるＭＢＳＦＮ領域に属する場合に、前記少なくとも１つのセル内の最大のソーティング値を有するセルが、前記再選択ターゲット・セルとして働くために選択され、そうでない場合には、
前記少なくとも２つのセル内の最大のソーティング値を有するセルが、前記再選択ターゲット・セルとして働くために選択される
請求項４に記載の方法。
【請求項６】
前記少なくとも２つのセル内の少なくとも１つのセルが、再選択ソース・セルが属するＭＢＳＦＮ領域と同一であるＭＢＳＦＮ領域に属する場合に、前記少なくとも１つのセル内の最大のソーティング値を有するセルが、前記再選択ターゲット・セルとして働くために選択され、そうではなく、
前記少なくとも２つのセル内の少なくとも１つのセルが、前記再選択ソース・セルが属する前記ＭＢＳＦＮ領域とは異なるＭＢＳＦＮ領域に属するが、前記再選択ソース・セルが属する前記ＭＢＳＦＮ領域と同一の周波数を使用する場合に、前記少なくとも１つのセル内の最大のソーティング値を有するセルが、前記再選択ターゲット・セルとして働くために選択され、そうでない場合には、
前記少なくとも２つのセル内の最大のソーティング値を有するセルが、前記再選択ターゲット・セルとして働くために選択される
請求項４に記載の方法。
【請求項７】
前記少なくとも２つのセル内の少なくとも１つのセルが、再選択ソース・セルが属するＭＢＳＦＮ領域と同一であるＭＢＳＦＮ領域に属する場合に、前記少なくとも１つのセル内の最大のソーティング値を有するセルが、前記再選択ターゲット・セルとして働くために選択され、そうではなく、
前記少なくとも２つのセル内の少なくとも１つのセルが、前記再選択ソース・セルが属する前記ＭＢＳＦＮ領域とは異なるＭＢＳＦＮ領域に属するが、前記再選択ソース・セルが属する前記ＭＢＳＦＮ領域と同一の周波数を使用する場合に、前記少なくとも１つのセル内の最大のソーティング値を有するセルが、前記再選択ターゲット・セルとして働くために選択され、そうではなく、
前記少なくとも２つのセル内の少なくとも１つのセルが、前記再選択ソース・セルが属する前記ＭＢＳＦＮ領域とは異なるＭＢＳＦＮ領域に属し、前記再選択ソース・セルが属する前記ＭＢＳＦＮ領域によって使用される周波数とは異なる周波数を使用する場合に、前記少なくとも１つのセル内の最大のソーティング値を有するセルが、前記再選択ターゲット・セルとして働くために選択され、そうでない場合には、
前記少なくとも２つのセル内の最大のソーティング値を有するセルが、前記再選択ターゲット・セルとして働くために選択される
請求項４に記載の方法。
【請求項８】
前記第１の判断基準は、Ｓ基準である、請求項４に記載の方法。
【請求項９】
前記セル再選択優先順位レベルは、周波数に基づいて判定される、請求項４に記載の方法。
【請求項１０】
各セルのセル再選択測定結果が第１の判断基準を満たす第１の候補再選択ターゲット・セル・セットを選択するように構成された第１の選択デバイスと、
前記第１の候補再選択ターゲット・セル・セット内の各セルのセル再選択優先順位レベルに従って、前記第１の候補再選択ターゲット・セル・セットから第２の候補再選択ターゲット・セル・セットを選択するように構成された第２の選択デバイスと、
前記第２の候補再選択ターゲット・セル・セット内の各セルの受信されたＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を検討し、前記第２の候補再選択ターゲット・セル・セットから、再選択ターゲット・セルとして働くセルを選択するように構成された第３の選択デバイスと
を含む、セル再選択を実行する装置。
【請求項１１】
前記第２の候補再選択ターゲット・セル・セットが、少なくとも１つのＭＢＳＦＮ領域に属する少なくとも１つのセルを有する場合に、前記第３の選択デバイスは、最適測定結果のセルを、前記再選択ターゲット・セルとして働くように、前記少なくとも１つのＭＢＳＦＮ領域に属する前記少なくとも１つのセルから選択し、そうでない場合には、
前記第３の選択デバイスは、最適測定結果のセルを、前記再選択ターゲット・セルとして働くように、前記第２の候補再選択ターゲット・セル・セットから選択する
請求項１０に記載の装置。
【請求項１２】
前記第２の候補再選択ターゲット・セル・セットが、再選択ソース・セルが属するＭＢＳＦＮ領域によって送信されるマルチメディア・ブロードキャスト・マルチキャスト・サービス（ＭＢＭＳ）サービスと同一であるＭＢＭＳサービスを送信する少なくとも１つのＭＢＳＦＮ領域に属する少なくとも１つのセルを有する場合に、前記第３の選択デバイスは、最適測定結果のセルを、前記再選択ターゲット・セルとして働くように、前記少なくとも１つのセルから選択し、そうではなく、
前記第２の候補再選択ターゲット・セル・セットが、前記再選択ソース・セルが属する前記ＭＢＳＦＮ領域によって送信される前記ＭＢＭＳサービスとは異なるＭＢＭＳサービスを送信する少なくとも１つのＭＢＳＦＮ領域に属する少なくとも１つのセルを有する場合に、前記第３の選択デバイスは、最適測定結果のセルを、前記再選択ターゲット・セルとして働くように、前記少なくとも１つのセルから選択し、そうでない場合には、
前記第３の選択デバイスは、最適測定結果のセルを、前記再選択ターゲット・セルとして働くように、前記第２の候補再選択ターゲット・セル・セットから選択する
請求項１０に記載の装置。
【請求項１３】
各セルのセル再選択測定結果が第１の判断基準を満たす第１の候補再選択ターゲット・セル・セットを選択するように構成された第１の選択デバイスと、
前記第１の候補再選択ターゲット・セル・セット内の各セルのセル再選択優先順位レベルに従って前記第１の候補再選択ターゲット・セル・セットから第２の候補再選択ターゲット・セル・セットを選択するように構成された第２の選択デバイスと、
前記第２の候補再選択ターゲット・セル・セット内の各セルのソーティング値を計算するように構成された計算デバイスと、
前記第２の候補再選択ターゲット・セル・セットが、それぞれがしきい値より大きい前記ソーティング値を有する少なくとも２つのセルを有する時に、前記少なくとも２つのセルの受信されたＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を検討し、前記少なくとも２つのセルから、再選択ターゲット・セルとして働くセルを選択するように構成された第３の選択デバイスと
を含む、セル再選択を実行する装置。
【請求項１４】
前記少なくとも２つのセル内の少なくとも１つのセルが、再選択ソース・セルが属するＭＢＳＦＮ領域と同一であるＭＢＳＦＮ領域に属する場合に、前記第３の選択デバイスは、前記少なくとも１つのセル内の最大のソーティング値を有するセルを、前記再選択ターゲット・セルとして働くために選択し、そうでない場合には、
前記第３の選択デバイスは、前記少なくとも２つのセル内の最大のソーティング値を有するセルを、前記再選択ターゲット・セルとして働くために選択する
請求項１３に記載の装置。
【請求項１５】
前記少なくとも２つのセル内の少なくとも１つのセルが、再選択ソース・セルが属するＭＢＳＦＮ領域と同一であるＭＢＳＦＮ領域に属する場合に、前記第３の選択デバイスは、前記少なくとも１つのセル内の最大のソーティング値を有するセルを、前記再選択ターゲット・セルとして働くために選択し、そうではなく、
前記少なくとも２つのセル内の少なくとも１つのセルが、前記再選択ソース・セルが属する前記ＭＢＳＦＮ領域とは異なるＭＢＳＦＮ領域に属するが、前記再選択ソース・セルが属する前記ＭＢＳＦＮ領域と同一の周波数を使用する場合に、前記第３の選択デバイスは、前記少なくとも１つのセル内の最大のソーティング値を有するセルを、前記再選択ターゲット・セルとして働くために選択し、そうでない場合には、
前記第３の選択デバイスは、前記少なくとも２つのセル内の最大のソーティング値を有するセルを、前記再選択ターゲット・セルとして働くために選択する
請求項１３に記載の装置。
【請求項１６】
前記少なくとも２つのセル内の少なくとも１つのセルが、再選択ソース・セルが属するＭＢＳＦＮ領域と同一であるＭＢＳＦＮ領域に属する場合に、前記第３の選択デバイスは、前記少なくとも１つのセル内の最大のソーティング値を有するセルを、前記再選択ターゲット・セルとして働くために選択し、そうではなく、
前記少なくとも２つのセル内の少なくとも１つのセルが、前記再選択ソース・セルが属する前記ＭＢＳＦＮ領域とは異なるＭＢＳＦＮ領域に属するが、前記再選択ソース・セルが属する前記ＭＢＳＦＮ領域と同一の周波数を使用する場合に、前記第３の選択デバイスは、前記少なくとも１つのセル内の最大のソーティング値を有するセルを、前記再選択ターゲット・セルとして働くために選択し、そうではなく、
前記少なくとも２つのセル内の少なくとも１つのセルが、前記再選択ソース・セルが属する前記ＭＢＳＦＮ領域とは異なるＭＢＳＦＮ領域に属し、前記再選択ソース・セルが属する前記ＭＢＳＦＮ領域によって使用される周波数とは異なる周波数を使用する場合に、前記第３の選択デバイスは、前記少なくとも１つのセル内の最大のソーティング値を有するセルを、前記再選択ターゲット・セルとして働くために選択し、そうでない場合には、
前記第３の選択デバイスは、前記少なくとも２つのセル内の最大のソーティング値を有するセルを、前記再選択ターゲット・セルとして働くために選択する
請求項１３に記載の装置。
【請求項１７】
隣接するセルのＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を送信するステップ
を含む、セル再選択を実行するのを援助する方法。
【請求項１８】
隣接するセルのＭｕｌｔｉｃａｓｔ  Ｂｒｏａｄｃａｓｔ  Ｓｉｎｇｌｅ  Ｆｒｅｑｕｅｎｃｙ  Ｎｅｔｗｏｒｋ（ＭＢＳＦＮ）領域識別情報を送信するように構成された送信デバイス
を含む、セル再選択を実行するのを援助する装置。
【発明の詳細な説明】
【技術分野】
【０００１】
本発明は、通信技術に関し、より詳細には、セル再選択を実行する方法および装置に関する。
【背景技術】
【０００２】
ユーザ機器（ＵＥ）が、ＲＲＣ＿ＩＤＬＥ状態とＲＲＣ＿ＣＯＮＮＥＣＴＥＤ状態との両方でマルチメディア・ブロードキャスト・マルチキャスト・サービス（ＭＢＭＳ）を受信できることが、周知である。
【０００３】
ＵＥが移動している場合があり、その結果、ソース・セルからターゲット・セルへの再選択が必要になる場合がある。
【０００４】
従来技術の関連する標準規格によれば、ＭＢＭＳサービスの受信の連続性の問題を、ターゲット・セルの選択中に考慮に入れることは、要求されない。
【０００５】
したがって、ＭＢＭＳサービスの受信の連続性を途絶させるターゲット・セルが選択される可能性がある。
【先行技術文献】
【非特許文献】
【０００６】
【非特許文献１】標準規格３ＧＰＰ  ＴＳ３６．３０４  Ｖ９．１．０
【発明の概要】
【発明が解決しようとする課題】
【０００７】
本発明の目的は、ＲＲＣ＿ＩＤＬＥ  ＵＥがセル再選択を実行する時のＭＢＭＳサービスの受信の連続性をできる限り改善するために解決策を提供することである。
【課題を解決するための手段】
【０００８】
本発明の第１の態様によれば、
各セルのセル再選択測定結果が第１の判断基準を満たす第１の候補再選択ターゲット・セル・セットを選択するステップと、
第１の候補再選択ターゲット・セル・セット内の各セルのセル再選択優先順位レベルに従って、第１の候補再選択ターゲット・セル・セットから第２の候補再選択ターゲット・セル・セットを選択するステップと、
第２の候補再選択ターゲット・セル・セット内の各セルの受信されたマルチキャスト／ブロードキャスト単一周波数ネットワーク（ＭＢＳＦＮ）領域識別情報を検討し、第２の候補再選択ターゲット・セル・セットから、再選択ターゲット・セルとして働くセルを選択するステップと
を含む、セル再選択を実行する方法が提供される。
【０００９】
本発明の第２の態様によれば、
各セルのセル再選択測定結果が第１の判断基準を満たす第１の候補再選択ターゲット・セル・セットを選択するステップと、
第１の候補再選択ターゲット・セル・セット内の各セルのセル再選択優先順位レベルに従って第１の候補再選択ターゲット・セル・セットから第２の候補再選択ターゲット・セル・セットを選択するステップと、
第２の候補再選択ターゲット・セル・セット内の各セルのソーティング値を計算するステップと、
第２の候補再選択ターゲット・セル・セットが、それぞれがしきい値より大きいソーティング値を有する少なくとも２つのセルを有する時に、少なくとも２つのセルの受信されたＭＢＳＦＮ領域識別情報を検討し、少なくとも２つのセルから、再選択ターゲット・セルとして働くセルを選択するステップと
を含む、セル再選択を実行する方法が提供される。
【００１０】
本発明の第３の態様によれば、
各セルのセル再選択測定結果が第１の判断基準を満たす第１の候補再選択ターゲット・セル・セットを選択するように構成された第１の選択デバイスと、
第１の候補再選択ターゲット・セル・セット内の各セルのセル再選択優先順位レベルに従って、第１の候補再選択ターゲット・セル・セットから第２の候補再選択ターゲット・セル・セットを選択するように構成された第２の選択デバイスと、
第２の候補再選択ターゲット・セル・セット内の各セルの受信されたＭＢＳＦＮ領域識別情報を検討し、第２の候補再選択ターゲット・セル・セットから、再選択ターゲット・セルとして働くセルを選択するように構成された第３の選択デバイスと
を含む、セル再選択を実行する装置が提供される。
【００１１】
本発明の第４の態様によれば、
各セルのセル再選択測定結果が第１の判断基準を満たす第１の候補再選択ターゲット・セル・セットを選択するように構成された第１の選択デバイスと、
第１の候補再選択ターゲット・セル・セット内の各セルのセル再選択優先順位レベルに従って第１の候補再選択ターゲット・セル・セットから第２の候補再選択ターゲット・セル・セットを選択するように構成された第２の選択デバイスと、
第２の候補再選択ターゲット・セル・セット内の各セルのソーティング値を計算するように構成された計算デバイスと、
第２の候補再選択ターゲット・セル・セットが、それぞれがしきい値より大きいソーティング値を有する少なくとも２つのセルを有する時に、少なくとも２つのセルの受信されたＭＢＳＦＮ領域識別情報を検討し、少なくとも２つのセルから、再選択ターゲット・セルとして働くセルを選択するように構成された第３の選択デバイスと
を含む、セル再選択を実行する装置が提供される。
【００１２】
本発明の第５の態様によれば、
隣接するセルのＭＢＳＦＮ領域識別情報を送信するステップ
を含む、セル再選択を実行するのを援助する方法が提供される。
【００１３】
本発明の第６の態様によれば、
隣接するセルのＭＢＳＦＮ領域識別情報を送信するように構成された送信デバイス
を含む、セル再選択を実行するのを援助する装置が提供される。
【００１４】
本発明によれば、ＲＲＣ＿ＩＤＬＥ  ＵＥがセル再選択を実行する時のＭＢＭＳサービスの受信の連続性を、できる限り改善することができる。
【００１５】
本発明の他の目的および効果は、本発明がますます包括的に理解されるので、添付図面を参照して次の説明を介してより明瞭になり、理解がより簡単になる。
【図面の簡単な説明】
【００１６】
【図１】本発明を実施できる環境の概略図である。
【図２】本発明の一実施形態によるセル再選択を実行する方法の概略流れ図である。
【図３】本発明の一実施形態によるセル再選択を実行する装置の概略ブロック図である。
【図４】本発明の一実施形態によるセル再選択を実行する方法の概略流れ図である。
【図５】本発明の一実施形態によるセル再選択を実行する装置の概略ブロック図である。
【発明を実施するための形態】
【００１７】
すべての添付図面で、同一の符号は、同一の、同様の、または対応する特徴または機能を示す。
【００１８】
本発明の諸実施形態を、下で、添付図面を参照して詳細に説明する。
【００１９】
図１は、本発明を実施できる環境の概略図である。
【００２０】
図１に示されているように、環境１００は、複数のセルを含む。領域１を用いてマークされたセルは、ＭＢＳＦＮ領域１に属し、領域２を用いてマークされたセルは、ＭＢＳＦＮ領域２に属し、領域３を用いてマークされたセルは、ＭＢＳＦＮ領域３に属し、他のセルは、どのＭＢＳＦＮ領域にも属さない。
【００２１】
図１から、ＵＥ１１０が存在するソース・セルが、ＭＢＳＦＮ領域１およびＭＢＳＦＮ領域２に属し、ソース・セルの６つの隣接するセルの中で、隣接するセル１は、どのＭＢＳＦＮ領域にも属さず、隣接するセル２は、ＭＢＳＦＮ領域１に属し、隣接するセル３は、ＭＢＳＦＮ領域１に属し、隣接するセル４は、ＭＢＳＦＮ領域３に属し、隣接するセル５は、ＭＢＳＦＮ領域１およびＭＢＳＦＮ領域２に属し、隣接するセル６は、ＭＢＳＦＮ領域２に属することがわかる。さらに、一般性を失わずに、ＭＢＳＦＮ領域１が、周波数１で動作し、ＭＢＳＦＮ領域２も、周波数１で動作し、ＭＢＳＦＮ領域３が、周波数２で動作すると仮定される。
【００２２】
さらに、図１に示されているように、ＵＥ１１０は、そのソース・セルのエッジに配置され、ＵＥ１１０が移動し続ける場合には、セル再選択プロセスが発生する可能性がある。
【００２３】
さらに、一般性を失わずに、次の説明では、ＵＥ１１０がＲＲＣ＿ＩＤＬＥ状態であり、その結果、ＵＥ１１０が、下で説明するセル再選択プロセスを実行するようになり、対応する装置が、ＵＥであると仮定する。
【００２４】
図２は、本発明の一実施形態によるセル再選択を実行する方法の概略流れ図である。
【００２５】
図２に示されているように、方法２００は、次のステップを含む。ステップＳ２１０では、各セルのセル再選択測定結果が第１の判断基準を満たす第１の候補再選択ターゲット・セル・セットを選択する。ステップＳ２２０では、第１の候補再選択ターゲット・セル・セット内の各セルのセル再選択優先順位レベルに従って、第１の候補再選択ターゲット・セル・セットから第２の候補再選択ターゲット・セル・セットを選択する。ステップＳ２３０では、第２の候補再選択ターゲット・セル・セット内の各セルの受信されたＭＢＳＦＮ領域識別情報を検討し、第２の候補再選択ターゲット・セル・セットから、再選択ターゲット・セルとして働くセルを選択する。
【００２６】
対応して、図３は、本発明の一実施形態によるセル再選択を実行する装置の概略ブロック図である。
【００２７】
図３に示されているように、装置３００は、各セルのセル再選択測定結果が第１の判断基準を満たす第１の候補再選択ターゲット・セル・セットを選択するように構成された第１の選択デバイス３１０と、第１の候補再選択ターゲット・セル・セット内の各セルのセル再選択優先順位レベルに従って、第１の候補再選択ターゲット・セル・セットから第２の候補再選択ターゲット・セル・セットを選択するように構成された第２の選択デバイス３２０と、第２の候補再選択ターゲット・セル・セット内の各セルの受信されたＭＢＳＦＮ領域識別情報を検討し、第２の候補再選択ターゲット・セル・セットから、再選択ターゲット・セルとして働くセルを選択するように構成された第３の選択デバイス３３０とを含む。
【００２８】
第１の判断基準は、たとえば、Ｓ基準である。Ｓ基準の意味は、隣接するセルの測定結果が、ある条件を満たす場合に限って、隣接するセルが、第１の候補再選択ターゲット・セル・セットのメンバであることができるということである。第１の候補再選択ターゲット・セル・セット内のメンバ・セルの周波数および再選択ソース・セルの周波数は、同一であることも、異なることもある。Ｓ基準の詳細については、標準規格３ＧＰＰ  ＴＳ３６．３０４  Ｖ９．１．０が、参考文献として働くことができる。Ｓ基準を満たす第１の候補再選択ターゲット・セル・セットは、再選択ソース・セルと同一の周波数を有する候補再選択ターゲット・セルを含み、再選択ソース・セルの周波数とは異なる周波数を有する候補再選択ターゲット・セルも含む。さらに、第１の候補再選択ターゲット・セル・セット内の候補再選択ターゲット・セルは、異なるセル再選択優先順位レベルを有することができる。
【００２９】
さらに、セル再選択優先順位レベルは、周波数に基づいて判定される。
【００３０】
たとえば、標準規格３ＧＰＰ  ＴＳ３６．３０４  Ｖ９．１．０には、ＲＲＣ＿ＩＤＬＥ状態のＵＥのセル再選択プロセスが記載されている。セル再選択プロセスの重要なルールは、セル再選択が、隣接するセルのセル再選択優先順位レベルに基づいて実行されることである。現在、セル再選択優先順位レベルは、セルに基づくのではなく、周波数層に基づく。すなわち、無線アクセス技術（ＲＡＴ）では、同一の周波数を有するすべてのセルが、同一のセル再選択優先順位レベルを有し、異なる周波数を有するセルは、同一のセル再選択優先順位レベルまたは異なるセル再選択優先順位レベルを有することができる。すなわち、あるセルのセル再選択優先順位レベルが、別のセルのセル再選択優先順位レベルとは異なる場合に、この２つのセルの周波数は、確かに異なる。しかし、あるセルのセル再選択優先順位レベルが、別のセルのセル再選択優先順位レベルと同一である場合には、この２つのセルの周波数は、同一であるか異なる可能性がある。
【００３１】
異なる周波数の絶対優先順位レベルを、たとえばシステム情報ブロックを介する情報単位「ｃｅｌｌＲｅｓｅｌｅｃｔｉｏｎＰｒｉｏｒｉｔｙ」を介して、ＵＥに提供することができる。情報単位「ｃｅｌｌＲｅｓｅｌｅｃｔｉｏｎＰｒｉｏｒｉｔｙ」は、標準規格３ＧＰＰ  ＴＳ３６．３３１  Ｖ９．１．０で定義されシステム情報ブロックＳＩＢ−３およびＳＩＢ５〜８で送信される。ＵＥが、ＲＲＣ＿ＣＯＮＮＥＣＴＥＤ状態からＲＲＣ＿ＩＤＬＥ状態に切り替える時には、ＲＲＣＣｏｎｎｅｃｔｉｏｎＲｅｌｅａｓｅメッセージを使用して、ＵＥにセル再選択優先順位レベルを知らせることができる。ＵＥが、ＲＲＣＣｏｎｎｅｃｔｉｏｎＲｅｌｅａｓｅメッセージから「ｃｅｌｌＲｅｓｅｌｅｃｔｉｏｎＰｒｉｏｒｉｔｙ」を受信する時には、ＵＥは、システム情報ブロック内の「ｃｅｌｌＲｅｓｅｌｅｃｔｉｏｎＰｒｉｏｒｉｔｙ」を無視する。
【００３２】
ステップＳ２２０およびデバイス３２０では、同一の最高のセル再選択優先順位レベルを有する第２の候補再選択ターゲット・セル・セットが、第１の候補再選択ターゲット・セル・セットから選択される。
【００３３】
さらに、同一の周波数を有する隣接するセルについて、隣接するセルが、少なくとも１つのＭＢＳＦＮ領域に属する場合に、ＵＥのソース・セルは、ＳＩＢ−４を介して、隣接するセルのＭＢＳＦＮ領域識別情報についてＵＥに知らせることができる。ＭＢＳＦＮ領域識別情報を含むＳＩＢ−４情報単位を、下に提供する。
【００３４】
【数１】
2014514838.tif 000003
【００３５】
部分ｍｂｓｆｎ−ＡｒｅａＩｄＬｉｓｔは、同一の周波数を有する隣接するセルに対応するＭＢＳＦＮ領域識別情報を記録する。
【００３６】
さらに、異なる周波数を有する隣接するセルについて、隣接するセルが、少なくとも１つのＭＢＳＦＮ領域に属する場合に、ＵＥのソース・セルは、ＳＩＢ−５を介して、隣接するセルのＭＢＳＦＮ領域識別情報についてＵＥに知らせることができる。ＭＢＳＦＮ領域識別情報を含むＳＩＢ−５情報単位を、下に提供する。
【００３７】
【数２】
2014514838.tif 000004
【００３８】
部分ｍｂｓｆｎ−ＡｒｅａＩｄＬｉｓｔは、異なる周波数を有する隣接するセルに対応するＭＢＳＦＮ領域識別情報を記録する。
【００３９】
ＭＢＳＦＮ領域識別情報は、ＭＢＳＦＮ領域名およびＭＢＳＦＮによって使用される周波数の情報を含むことができる。
【００４０】
確かに、ＭＢＳＦＮ領域識別情報が、他の情報、たとえばＭＢＳＦＮ領域識別情報によって提供されるＭＢＭＳサービス情報をさらに含むことができることが、当業者によって理解されるべきである。
【００４１】
さらに、再選択ソース・セルの隣接するセルのＭＢＳＦＮ領域識別情報を、運用管理保守（ＯＡＭ）を介して再選択ソース・セルの基地局に提供することができる。
【００４２】
あるいは、ＭＢＳＦＮ領域識別情報を、再選択ソース・セルの基地局とマルチセル／マルチキャスト協調エンティティ（ＭＣＥ）との間で、Ｍ２インターフェースのアプリケーション・プロトコル・プロセスを介して交換することができる。
【００４３】
図２に示された方法および図３に示された装置は、好ましくは、第２の候補再選択ターゲット・セル・セットのセル再選択優先順位レベルが、再選択ソース・セルのセル再選択優先順位レベルより高いまたはこれより低いシナリオで適用される。
【００４４】
本発明の一実施形態では、第２の候補再選択ターゲット・セル・セットが、少なくとも１つのＭＢＳＦＮ領域に属する少なくとも１つのセルを有する場合に、ステップＳ２３０でおよびデバイス３３０で、最適測定結果のセルが、再選択ターゲット・セルとして働くために、少なくとも１つのＭＢＳＦＮ領域に属する少なくとも１つのセルから選択され、そうでない場合には、
最適測定結果のセルが、再選択ターゲット・セルとして働くために、第２の候補再選択ターゲット・セル・セットから選択される。
【００４５】
上で述べたように、第２の候補再選択ターゲット・セル・セットのセル再選択優先順位レベルが、再選択ソース・セルのセル再選択優先順位レベルとは異なる時に、第２の候補再選択ターゲット・セル・セット内の任意のセルの周波数は、確かに再選択ソース・セルの周波数とは異なり、したがって、第２の候補再選択ターゲット・セル・セット内のセルが属するＭＢＳＦＮ領域は、確かに再選択ソース・セルが属するＭＢＳＦＮ領域とは異なり、その理由は、同一のＭＢＳＦＮ領域に属するセルの周波数が同一でなければならないことである。確かに、異なるＭＢＳＦＮ領域に属するセルの周波数は、同一であってもよい。
【００４６】
第２の候補再選択ターゲット・セル・セット内のセルが属するＭＢＳＦＮ領域は、再選択ソース・セルが属するＭＢＳＦＮ領域とは異なるが、第２の候補再選択ターゲット・セル・セット内のセルが属するＭＢＳＦＮ領域は、現在または将来に、再選択ソース・セルが属するＭＢＳＦＮ領域によって送信されるＭＢＭＳサービスと同一のＭＢＭＳサービスを送信することができる。したがって、第２の候補再選択ターゲット・セル・セットが、少なくとも１つのＭＢＳＦＮ領域に属する少なくとも１つのセルを有する場合には、再選択ターゲット・セルとして働くために、最適測定結果のセルが、少なくとも１つのＭＢＳＦＮ領域に属する少なくとも１つのセルから選択され、これによって、ＭＢＭＳサービスの受信の連続性を改善する。
【００４７】
本発明のもう１つの実施形態では、第２の候補再選択ターゲット・セル・セットが、再選択ソース・セルが属するＭＢＳＦＮ領域によって送信されるＭＢＭＳサービスと同一であるＭＢＭＳサービスを送信する少なくとも１つのＭＢＳＦＮ領域に属する少なくとも１つのセルを有する場合に、ステップＳ２３０およびデバイス３３０で、最適測定結果のセルが、再選択ターゲット・セルとして働くために、少なくとも１つのセルから選択され、そうではなく、
第２の候補再選択ターゲット・セル・セットが、再選択ソース・セルが属するＭＢＳＦＮ領域によって送信されるＭＢＭＳサービスとは異なるＭＢＭＳサービスを送信する少なくとも１つのＭＢＳＦＮ領域に属する少なくとも１つのセルを有する場合に、ステップＳ２３０およびデバイス３３０で、最適測定結果のセルが、再選択ターゲット・セルとして働くために、少なくとも１つのセルから選択される。そうでない場合には、ステップＳ２３０およびデバイス３３０で、第２の候補再選択ターゲット・セル・セット内の最適測定結果のセルが、再選択ターゲット・セルとして働くために選択される。
【００４８】
この実施形態によれば、最適測定結果のセルは、好ましくは、再選択ソース・セルが属するＭＢＳＦＮ領域によって送信されるＭＢＭＳサービスと同一であるＭＢＭＳサービスを送信する少なくとも１つのＭＢＳＦＮ領域に属する少なくとも１つのセルから再選択され、その結果、ＭＢＭＳサービスの受信の連続性を、よりよく保証できるようになる。しかし、この実施形態では、ＵＥは、対応するＭＢＳＦＮによって提供されるＭＢＭＳサービスの情報を知る必要がある。
【００４９】
確かに、第２の候補再選択ターゲット・セル・セット内の各セルの受信されたＭＢＳＦＮ領域識別情報が検討され、セルが、再選択ターゲット・セルとして働くために第２の候補再選択ターゲット・セル・セットから選択される、他の実施形態が存在し得ることが、当業者によって理解されるべきである。
【００５０】
確かに、図２に示された方法および図３に示された装置が、第２の候補再選択ターゲット・セル・セットのセル再選択優先順位レベルが再選択ソース・セルのセル再選択優先順位レベルと同一であるシナリオにも適用可能であることが、当業者によって理解されるべきである。
【００５１】
図４は、本発明のもう１つの実施形態によるセル再選択を実行する方法の概略流れ図である。
【００５２】
図４に示されているように、方法４００は、次のステップを含む。ステップＳ２１０では、各セルのセル再選択測定結果が第１の判断基準を満たす第１の候補再選択ターゲット・セル・セットを選択する。ステップＳ２２０では、第１の候補再選択ターゲット・セル・セット内の各セルのセル再選択優先順位レベルに従って第１の候補再選択ターゲット・セル・セットから第２の候補再選択ターゲット・セル・セットを選択する。ステップＳ４２５では、第２の候補再選択ターゲット・セル・セット内の各セルのソーティング値を計算する。ステップＳ４３０では、第２の候補再選択ターゲット・セル・セットが、それぞれがしきい値より大きいソーティング値を有する少なくとも２つのセルを有する時に、少なくとも２つのセルの受信されたＭＢＳＦＮ領域識別情報を検討し、少なくとも２つのセルから、再選択ターゲット・セルとして働くセルを選択する。
【００５３】
対応して、図５は、本発明の一実施形態によるセル再選択を実行する装置の概略ブロック図である。
【００５４】
図５に示されているように、装置５００は、各セルのセル再選択測定結果が第１の判断基準を満たす第１の候補再選択ターゲット・セル・セットを選択するように構成された第１の選択デバイス３１０と、第１の候補再選択ターゲット・セル・セット内の各セルのセル再選択優先順位レベルに従って第１の候補再選択ターゲット・セル・セットから第２の候補再選択ターゲット・セル・セットを選択するように構成された第２の選択デバイス３２０と、第２の候補再選択ターゲット・セル・セット内の各セルのソーティング値を計算するように構成された計算デバイス５２５と、第２の候補再選択ターゲット・セル・セットが、それぞれがしきい値より大きいソーティング値を有する少なくとも２つのセルを有する時に、少なくとも２つのセルの受信されたＭＢＳＦＮ領域識別情報を検討し、少なくとも２つのセルから、再選択ターゲット・セルとして働くセルを選択するように構成された第３の選択デバイス５３０とを含む。
【００５５】
図２／図３に示された方法および装置と比較して、図４／図５に示された方法および装置は、第２の候補再選択ターゲット・セル・セット内の各セルのソーティング値を計算することと、第２の候補再選択ターゲット・セル・セットが、それぞれがしきい値より大きいソーティング値を有する少なくとも２つのセルを有する時に、少なくとも２つのセルの受信されたＭＢＳＦＮ領域識別情報を検討し、少なくとも２つのセルから、再選択ターゲット・セルとして働くセルを選択することとを含む。
【００５６】
図４に示された方法および図５に示された装置は、第２の候補再選択ターゲット・セル・セットのセル再選択優先順位レベルが再選択ソース・セルのセル再選択優先順位レベルと同一であるシナリオに適用可能である。
【００５７】
標準規格３ＧＰＰ  ＴＳ３６．３０４  Ｖ９．１．０で述べられているように、第２の候補再選択ターゲット・セル・セットのセル再選択優先順位レベルが再選択ソース・セルのセル再選択優先順位レベルと同一であるシナリオについて、Ｒ基準が定義される。第２の候補再選択ターゲット・セル・セット内のセルごとに、ＵＥは、そのソーティング値すなわちＲ値を計算し、計算されたソーティング値に従って再選択ターゲット・セルを選択する必要がある。Ｒ基準の詳細については、標準規格３ＧＰＰ  ＴＳ３６．３０４  Ｖ９．１．０が、参考文献として働くことができる。
【００５８】
実際の無線伝送条件を考慮に入れるために、この実施形態では、第２の候補再選択ターゲット・セル・セットが、それぞれがしきい値、たとえば実際の無線伝送条件を示すＵＥのＲ値より大きいソーティング値を有する少なくとも２つのセルを有する時に限って、少なくとも２つのセルの受信されたＭＢＳＦＮ領域識別情報を検討し、少なくとも２つのセルから、再選択ターゲット・セルとして働くセルを選択する。
【００５９】
第２の候補再選択ターゲット・セル・セットが、しきい値より大きいソーティング値を有するセルを１つだけ有する時には、そのセルが、再選択ターゲット・セルとして働くために直接に選択される。
【００６０】
あるいは、第２の候補再選択ターゲット・セル・セットが、しきい値より大きいソーティング値を有するセルを全く有しない時には、第２の候補再選択ターゲット・セル・セット内の、最大のソーティング値を有するセルが、再選択ターゲット・セルとして働くために選択される。
【００６１】
本発明の一実施形態では、第２の候補再選択ターゲット・セル・セットに含まれ、それぞれがしきい値より大きいソーティング値を有する、少なくとも２つのセル内の少なくとも１つのセルが、再選択ソース・セルが属するＭＢＳＦＮ領域と同一であるＭＢＳＦＮ領域に属する場合に、ステップＳ４３０およびデバイス５３０で、少なくとも１つのセル内の最大のソーティング値を有するセルが、再選択ターゲット・セルとして働くために選択され、そうでない場合には、ステップＳ４３０およびデバイス５３０で、少なくとも２つのセル内の最大のソーティング値を有するセルが、再選択ターゲット・セルとして働くために選択される。
【００６２】
本発明のもう１つの実施形態では、第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域と同一であるＭＢＳＦＮ領域に属する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属するが、再選択ソース・セルが属するＭＢＳＦＮ領域と同一の周波数を使用する場合に、ステップＳ４３０およびデバイス５３０で、少なくとも１つのセル内の最大のソーティング値を有するセルが、再選択ターゲット・セルとして働くために選択され、そうでない場合には、
ステップＳ４３０およびデバイス５３０で、少なくとも２つのセル内の最大のソーティング値を有するセルが、再選択ターゲット・セルとして働くために選択される。
【００６３】
本発明のもう１つの実施形態によれば、第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域と同一であるＭＢＳＦＮ領域に属する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属するが、再選択ソース・セルが属するＭＢＳＦＮ領域と同一の周波数を使用する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属し、再選択ソース・セルが属するＭＢＳＦＮ領域によって使用される周波数とは異なる周波数を使用する場合に、ステップＳ４３０およびデバイス５３０で、少なくとも１つのセル内の最大のソーティング値を有するセルが、再選択ターゲット・セルとして働くために選択され、そうでない場合には、
ステップＳ４３０およびデバイス５３０で、少なくとも２つのセル内の最大のソーティング値を有するセルが、再選択ターゲット・セルとして働くために選択される。
【００６４】
確かに、第２の候補再選択ターゲット・セル・セットが、それぞれがしきい値より大きいソーティング値を有する少なくとも２つのセルを有する時に、少なくとも２つのセルの受信されたＭＢＳＦＮ領域識別情報を検討し、少なくとも２つのセルから再選択ターゲット・セルとして働くセルを選択する、もう１つの実施形態が存在し得ることが、当業者によって理解されるべきである。
【００６５】
たとえば、もう１つの実施形態では、第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域と同一であるＭＢＳＦＮ領域に属する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域に部分的に属する場合に、ステップＳ４３０およびデバイス５３０で、少なくとも１つのセル内の最大のソーティング値または最高の所属性（ｂｅｌｏｎｇｉｎｇｎｅｓｓ）の度合を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属するが、再選択ソース・セルが属するＭＢＳＦＮ領域と同一の周波数を使用する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属し、再選択ソース・セルが属するＭＢＳＦＮ領域によって使用される周波数とは異なる周波数を使用する場合に、ステップＳ４３０およびデバイス５３０で、少なくとも１つのセル内の最大のソーティング値を有するセルが、再選択ターゲット・セルとして働くために選択され、そうでない場合には、
ステップＳ４３０およびデバイス５３０で、少なくとも２つのセル内の最大のソーティング値を有するセルが、再選択ターゲット・セルとして働くために選択される。
【００６６】
たとえば、再選択ソース・セルが、３つのＭＢＳＦＮ領域に属し、第１の候補再選択ターゲット・セルが、３つのＭＢＳＦＮ領域の中の２つのＭＢＳＦＮ領域に属し、第２の候補再選択ターゲット・セルが、３つのＭＢＳＦＮ領域の中の１つのＭＢＳＦＮ領域に属する場合に、第１の候補再選択ターゲット・セルの所属性の度合は、第２の候補再選択ターゲット・セルの所属性の度合より高い。
【００６７】
たとえば、本発明のもう１つの実施形態では、第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域と同一であるＭＢＳＦＮ領域に属する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域によって送信されるＭＢＭＳサービスと同一のＭＢＭＳサービスを送信する少なくとも１つのＭＢＳＦＮ領域に属する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属するが、再選択ソース・セルが属するＭＢＳＦＮ領域と同一の周波数を使用する場合に、ステップＳ４３０およびデバイス５３０で、少なくとも１つのセル内の最大のソーティング値を有するセルが、再選択ターゲット・セルとして働くために選択され、そうではなく、
第２の候補再選択ターゲット・セル・セットに含まれ、それぞれがしきい値より大きいソーティング値を有する少なくとも２つのセル内の少なくとも１つのセルが、再選択ソース・セルが属するＭＢＳＦＮ領域とは異なるＭＢＳＦＮ領域に属し、再選択ソース・セルが属するＭＢＳＦＮ領域によって使用される周波数とは異なる周波数を使用する場合に、ステップＳ４３０およびデバイス５３０で、少なくとも１つのセル内の最大のソーティング値を有するセルが、再選択ターゲット・セルとして働くために選択され、そうでない場合には、
ステップＳ４３０およびデバイス５３０で、少なくとも２つのセル内の最大のソーティング値を有するセルが、再選択ターゲット・セルとして働くために選択される。
【００６８】
しかし、この実施形態では、ＵＥは、対応するＭＢＳＦＮによって提供されるＭＢＭＳサービスの情報を知る必要がある。
【００６９】
本発明を使用した結果を、下で図１を参照して説明する。
【００７０】
セル５およびセル６が、それぞれのセル再選択測定結果およびセル再選択優先順位レベルに従って再選択ソース・セルの第２の候補再選択ターゲット・セルのメンバであり、セル５およびセル６のソーティング値すなわち、Ｒ値について、それぞれＲ５＝２およびＲ６＝２．５と計算されると仮定する。さらに、しきい値Ｔｍｂｍｓ＝１．５であると仮定する。
【００７１】
明らかに、セル５およびセル６のソーティング値は、両方ともしきい値より大きい。再選択ソース・セルは、ＭＢＳＦＮ領域１およびＭＢＳＦＮ領域２に属し、セル５も、ＭＢＳＦＮ領域１およびＭＢＳＦＮ領域２に属するが、セル６は、ＭＢＳＦＮ領域２だけに属し、したがって、セル６のＲ値は、セル５のＲ値より大きいが、セル５は、やはりしきい値より大きいＲ値を有し、対応する条件を満たす通信品質を有し、したがって、本発明によれば、セル５が、ＭＢＭＳサービスの受信の連続性を改善するために再選択ターゲット・セルとして働くために選択される。
【００７２】
本発明は、さらに、
隣接するセルのＭＢＳＦＮ領域識別情報を送信するステップ
を含む、セル再選択を実行するのを援助する方法に関する。
【００７３】
さらに、本発明は、さらに、隣接するセルのＭＢＳＦＮ領域識別情報を送信するように構成された送信デバイスを含む、セル再選択を実行するのを援助する装置に関する。
【００７４】
セル再選択を実行するのを援助する方法を、ｅｖｏｌｖｅｄ  Ｎｏｄｅ  Ｂ（ｅＮＢ）によって実行することができ、したがって、セル再選択を実行するのを援助する装置を、ｅＮＢとすることができる。
【００７５】
本発明を理解しやすくするために、上の説明が、当業者に一般に知られており、おそらくは本発明の実施態様が必要とする、より具体的ないくつかの技術的詳細を省いていることに留意されたい。
【００７６】
したがって、諸実施形態の選択および説明は、本発明の原理および本発明の実際の応用例をよりよく説明するためのものであり、本発明の本質から逸脱せずに作られるすべての変更および変形が、特許請求の範囲によって定義される本発明の保護範囲に含まれることが、当業者によって理解されるべきである。
【００７７】
さらに、これらの方法の説明されたステップを、プログラミング・コンピュータによって実施できることが、当業者によって理解されるべきである。本明細書では、いくつかの実施形態は、機械またはコンピュータに可読であり、機械またはコンピュータによって実行され得るコーディングされた命令プログラムを有するプログラム・ストレージ・デバイスを包含することが意図されている。命令は、方法のステップの一部またはすべてを実行する。プログラム・ストレージ・デバイスは、たとえば、磁気ディスクおよび磁気テープなどの磁気記憶媒体、ハード・ディスク・ドライバ、および光読取可能ディジタル・データ記憶媒体とすることができる。諸実施形態は、方法のステップを実行するようにプログラムされたコンピュータを包含することも意図されている。
【図１】
2014514838.tif 000005
【図２】
2014514838.tif 000006
【図３】
2014514838.tif 000007
【図４】
2014514838.tif 000008
【図５】
2014514838.tif 000009
【国際調査報告】
2014514838.tif 000010
2014514838.tif 000011
2014514838.tif 000012
2014514838.tif 000013
2014514838.tif 000014